(57)【特許請求の範囲】
【請求項１】
左右一対の縦枠と少なくとも一つの横枠からなる間仕切り枠であって、前記左右縦枠と前記横枠の下方に形成される空間内にジッパーガスケットを用いて着脱自在にパネルを組み込むと共に、該パネルの下端部及び両縦枠の下端部には、常時はパネルの荷重を支持し、かつ、非常時は前記ジッパーの引き抜き操作及びパネル押圧操作によるパネルの回動に基づいてパネルの支持を解除するパネル仮支持機構が設けられおり、該仮支持機構は、両縦枠の中空部の厚さより若干長めの長辺を有する略小判型の係止板を、中空部内の下端部に位置させてパネル下端部の左右両端に設けたものであることを特徴とする避難用間仕切り装置。
【請求項２】
前記請求項１のパネル下端部は、下框と一体化されていることを特徴とする避難用間仕切り装置。
【発明の詳細な説明】
【０００１】
【発明の属する技術分野】
本発明は、マンション等の集合住宅の各戸を仕切る間仕切り装置であって、火災等の際避難路を確保するとともに、パネルを開放した際に下枠等に躓くことなく、さらには、車椅子等による通行を可能にするバリアフリー型の非難間仕切りを提供するものである。
【０００２】
【従来の技術】
一般に、この種の避難用間仕切り装置は、四周を枠組み形成した間仕切り枠内に破断可能なパネルを嵌め込んでおき、非常時には予め設置しておいたハンマーなどによって、パネルを打ち破って避難路を確保するといったものがある。
また、間仕切り枠内にジッパーとガスケットを用いてパネルを固定し、避難時にはジッパーの引き抜き操作によって間仕切り枠へのパネルの固定を解除したのち、手足等によってパネルを軽く押しやって避難開口を形成するといったのもが知られている。
【０００３】
【発明が解決しようとする課題】
ところが、パネルを破断して避難開口部を形成するものにおいては、破断したパネルの破片や下枠が避難開口部内に残り、避難者が通り抜ける際、破片に接触して怪我をしたり、残った下枠に足を引掛けて転倒したりするおそれがあった。
また、ジッパーガスケットを用いて避難開口を形成するものにおいては、パネルのみが離脱されて避難開口内の縦枠間に下枠が残り、避難者が足を引掛けて転倒したり、車椅子での通行の妨げとなる惧れがあった。
本発明が解決しようとする課題は、通常時は、間仕切り枠内にパネルを確実に固定すると共に、非常時にはパネルをその下框とともに離脱させて避難開口を形成し、該避難開口内に下枠等の通行の妨げとなるものを残さないようにすることである。
【０００４】
【課題を解決するための手段】
そこで、本発明は上記の実情に鑑み、これらの欠点を一掃することができる避難用間仕切りを提供することを目的として創案されたものであって、左右一対の縦枠と少なくとも一つの横枠からなる間仕切り枠であって、前記左右縦枠と前記横枠の下方に形成される空間内にジッパーガスケットを用いて着脱自在にパネルを組み込むと共に、該パネルの下端部及び両縦枠の下端部には、常時はパネルの荷重を支持し、かつ、非常時は前記ジッパーの引き抜き操作及びパネル押圧操作によるパネルの回動に基づいてパネルの支持を解除するパネル仮支持機構を設けて構成したものである。そして、該仮支持機構は、両縦枠の中空部の厚さより若干長めの長辺を有する略小判型の係止板を、中空部内の下端部に位置させてパネル下端部の左右両端に設けたものである。
【０００５】
【発明の実施の形態】
次に、本発明の実施の形態を図面に基づいて説明する。図１ないし図３において、１は集合住宅のベランダにおける各戸間を仕切るための間仕切枠であって、該間仕切枠１は、中空の型材よりなる左右一対の縦枠２，３と上枠４および中桟５で枠組み形成した後、中桟５を境に上下に嵌め殺しパネル６及び脱出パネル７を組み込み、所定の取付金具を用いてベランダの手摺、壁等に取り付けられるものである。
前記縦枠２，３の内周面には、パネルを嵌合する嵌合溝２１，３１が形成されている。上枠４は、上枠本体４ａと押し縁４ｂによって構成されており、上枠本体４ａには、嵌め殺しパネル６を固定する固定面４ｃと、押し縁４ｂを係止する係止溝４ｄと係止片４ｅが形成されている。一方、押し縁４ｂには、前記係止溝４ｄ、係止片４ｅに係止される係止片４ｆ、係止溝４ｇが形成されている。
【０００６】
上記中桟５の上端には、嵌め殺しパネル６を嵌合する嵌合溝５１が形成されている。また、下端には後述するガスケットアタッチメント９を嵌合する嵌合溝５３が形成されている。さらに、上下略中央位置には、嵌合溝底辺５２が形成されている。
【０００７】
嵌め殺しパネル６は、方形の薄板部材からなり、該嵌め殺しパネル６は、両縦枠２、３と上枠４及び中桟５によって形成される平面内に固定され、具体的にはパネル６の左右両端及び下端を各枠に設けたパネル嵌合溝２１，３１，５１に嵌合し、パネル６の上端を上枠本体４ａの固定面４ｃにビス等により固定した後、押し縁４ｂを上枠本体４ａに係止させ、各枠のパネルとパネル嵌合溝との隙間にシーリング材を押し込むことによって、間仕切り枠１に固定するものである。
【０００８】
中桟５の下側のパネル取付平面内には、脱出パネル７がジッパー１４、ガスケット１０を介して取り付けられることとなるが、該脱出パネル７は、前記嵌め殺しパネル６と同様の薄板状部材からなり、脱出パネル７の下端には、下框１２がビス１３によって固定されている。脱出パネル７の下框１２を取り付けた下辺を除く三辺のパネル外周縁部には、ガスケット１０が嵌合されるが、脱出パネル７の上側隅部において、円弧状のコーナー部７１が形成されているため、ガスケット１０を嵌合する際、ガスケット１０の折曲角度が緩やかになり、ガスケット１０がよじれたり浮き上がったりすることがなく容易にガスケット１０の取付作業を行うことができる。
【０００９】
ガスケット１０には、ガスケットアタッチメント９が嵌合する嵌合溝１０ａが外周面に、脱出パネル７の外周縁部が嵌合する嵌合溝１０ｂが内周面にそれぞれ形成されている。また、ガスケット１０の前後両側面には、ジッパー溝１１が形成されており、このジッパー溝１１は、紐状のジッパー１４を嵌合状に止着するようになっており、ガスケット１０は、ジッパー１４のない状態では嵌合溝１０ａ，１０ｂとジッパー溝１１との各溝底部間が肉薄状になっているため、溝底部間が折曲しやすく、この状態では、脱出パネル７は手足等で前方に軽く押圧することによってパネルの固定を解除しうるようになっている。
一方、ジッパー１４が止着された状態では、ガスケット１０は、パネル嵌合溝１０ｂが剛性的になって折曲が規制され、ガスケットアタッチメント９および脱出パネル７の固定的な嵌合支持をするようになっている。
【００１０】
また、ジッパー１４には引き手片１４ａが設けられていて、これを引っ張ることによってジッパー１４をジッパー溝１１から簡単に引き出すことが出来るよう構成されている。ちなみに、この引き手片１４ａをジッパー１４に取り付けるには、溶着、接着等の適宜手段を用いればよいが、引き手片１４ａに輪形状の係止部を形成して該係止部をジッパー１４に挿入せしめることにより、簡単に取りつけることができる。
【００１１】
ガスケットアタッチメント９は、左右両縦枠２，３に嵌合する直線部９１と中桟と縦枠とが交差する隅部に嵌合するコーナー部９２からなり、該コーナー部９２は、前記脱出パネル７の円弧状コーナー部７１に対応した形状となっている。
また、ガスケットアタッチメント９は、ガスケット１０の嵌合溝１０ａと嵌合する突片９ａと各枠に設けられたパネル嵌合溝２１，３１，５３に嵌合する脚部９ｂおよび鍔部９ｃとによって構成されている。さらに、前記脚部９ｂには、パネル嵌合溝２１、３１と係合する係合片９ｄが形成されており、ガスケットアタッチメント９を各枠の嵌合溝２１、３１にスナップイン方式で取り付けることができる。
【００１２】
以上のように構成された本発明の実施例において、間仕切り枠１の下半部への脱出パネル７の取付は、まず各枠のパネル嵌合溝２１，３１，５３にガスケットアタッチメント９を固定する。次に、ガスケットアタッチメント９の突片９ａにガスケット嵌合溝１０ａを嵌合させる。次いで、脱出パネル７の下端に固定した下框１２を後述するパネル仮支持機構Ａに仮支持させ、パネル外周縁部をガスケット１０に設けた嵌合溝１０ｂに嵌合させた後、ジッパー１４をジッパー溝１１に挿入することにより脱出パネル７は、間仕切り枠１内に固定されることとなる。
【００１３】
次に図４及び図５に基づいて本発明のパネル仮支持機構Ａについて説明する。パネル仮支持機構Ａは、引掛け部材２５と支持突起３５からなり、引掛け部材２５は、Ｌ型のアングル材からなり、取付辺２５ａと突出辺２５ｂ及び折返し辺２５ｃとによって構成されている。また、該折返し辺２５ｃの略中央位置には、半円状の凹部２５ｄが形成されている。
この引掛け部材２５は、突出辺２５ｂを上にした状態で脱出パネル７の下框１２の左右両端に、スペーサ１２ａを介してビス１２ｂで取り付けられる。一方、間仕切り枠１の両縦枠２，３の中空部２ａ、３ａの縦方向に形成した仕切り片２ｂ、３ｂの下端には、前記引掛け部材２５の支持片２５ｃに対応する位置に該仕切り片２ｂ、３ｂから内方に向けて支持突起３５が取り付けられている。
以上のように構成される本発明のパネル仮支持機構Ａによれば、脱出パネル７を両縦枠２、３に直角状にした状態で両縦枠２、３の中空部２ａ、３ａの下端より、引掛け部材２５を中空部内に挿通した後、パネル１７を上方に回動させ、前記引掛け部材２５の半円状の凹部２５ｄを支持突起３５に引掛けることにより、脱出パネル７を仮支持することができる。
【００１４】
図７及び図８は、本発明に係るパネル仮支持機構の他の実施例を示しているが、図中３６は係止板であって、直線状の長辺ａと曲線状の短辺ｂからなる略小判型の薄板状部材から成り、中央にはビス孔ｃが形成されている。係止板３６の長辺ａは、縦枠２、３の中空部２ａ、３ａの厚さｄより若干長めに設定されている。
そして、この係止板３６は、長辺ａを横にした状態で脱出パネル７の下框１２の左右両端部にスペーサ１２ａを介してビス１２ｂ等で固定される。そして、脱出パネル７を縦枠２、３に対して直角状にした状態で係止板３６を中空部２ａ、３ａに挿通したのち、脱出パネル７を上側に回転させることにより、係止板３６の長辺ａが縦枠２、３の中空部２ａ、３ａの内壁に嵌合され、脱出パネル７の仮支持を行うことができる。
【００１５】
次にパネルの解除作用を図６に基づいて説明する。
非常操作時の引き手片１４ａによるジッパー１４の引抜きと脱出パネル７の押圧操作によって、パネル７は、左右両枠に設けた支持突起３５を支点に回動し始める。パネル７の回動と同時に引掛け部材２５も回動される。パネル７の回動が進むにつれて引掛け部材２５の半円状凹部２５ｄと支持突起３５との引掛かりが解かれ、最終的には凹部２５ｄが支持突起３５から外れ、脱出パネル７は下框１２とともに間仕切り枠１から離脱し、脱出口が形成されることとなる。
図９は、他の実施例のパネル解除作用を説明した図であるが、係止板３６は、常時は、その長辺ａが縦枠２、３の中空部２ａ、３ａの内壁に強く嵌合され、パネル７の荷重を支持するが、ジッパー１４の引き抜きとパネル７の押圧操作によるパネル７の回動に基づいて係止板３６も回動するため、係止板３６の長辺ａが次第に傾動して中空部との嵌合力も小さくなるため、最終的には脱出パネル７と縦枠２、３との仮支持が解かれ、パネル７が下框１２とともに離脱し、避難開口が形成されることとなる。
【００１６】
【発明の効果】
叙述のごとく構成された本発明によれば、間仕切り枠を構成する左右縦枠と横枠の下方に形成される空間内に、ジッパーガスケットを用いて着脱自在に脱出パネルを取り付けるとともに脱出パネルの下端部及び縦枠の下端部にパネル仮支持機構を設けたので、通常時は、脱出パネルをガスケットとパネル仮支持機構によって、間仕切り枠内に確実に固定し、非常時のガスケット引き抜き操作及びパネルの押圧操作によるパネルの回動に基づいて、脱出パネルの下端部におけるパネル支持が解かれ、パネルを下框とともに間仕切り枠から容易に取り外すことができる。
したがって、パネルを取り外した後、避難開口内に下枠等の避難者の通行の妨げとなるものが一切残らないため、安全に避難することができる上、車椅子による通行を可能とすることができる。
【図面の簡単な説明】
【図１】本発明に係る避難用間仕切り装置の正面図
【図２】間仕切り装置の中央縦断面図
【図３】（Ａ）は上枠の水平断面図
（Ｂ）は中桟の水平断面図
（Ｃ）は下框の水平断面図
【図４】（Ａ）は引掛け部材の正面図
（Ｂ）は引掛け部材の平面図
（Ｃ）は引掛け部材の側面図
【図５】パネル仮支持機構の要部正面図
【図６】パネルの解除作用の説明図
【図７】係止板の平面図
【図８】他の実施例のパネル仮支持機構の要部平面図
【図９】他の実施例のパネル解除作用の説明図
【符号の説明】
１            間仕切り枠
２，３    縦枠
４            上枠
５            中桟
７            脱出パネル
１０        ガスケット
１２    下框
１４        ジッパー
２５        引掛け部材
３５        支持突起
３６        係止板
Ａ            パネル仮支持機構
【図１】
0003612644.tif 000002
【図２】
0003612644.tif 000003
【図３】
0003612644.tif 000004
【図４】
0003612644.tif 000005
【図５】
0003612644.tif 000006
【図６】
0003612644.tif 000007
【図７】
0003612644.tif 000008
【図８】
0003612644.tif 000009
【図９】
0003612644.tif 000010